(57)【特許請求の範囲】
【請求項１】
一眼レフカメラ等のカメラ本体を内蔵する防水カメラケースの前面に取り付けられる外周面操作リング付き防水レンズポートであって、カメラ本体から前方に突出するレンズを内蔵する円筒形の防水ポート本体と、内蔵レンズに水中光学像を導入するポート前端の透明レンズ部と、ポート後端の防水カメラケース取付け部と、内蔵レンズ鏡筒の中間位置にある回転調節部に、弾性リング体の弾性変形で固着されるレンズ鏡筒回転調節部固定磁石リングと、円筒形防水ポート本体の外側に回転自在に遊嵌状態ではめられ操作ダイアルリングと一体で形成されている遊嵌磁石ダイアルリングとを備え、防水ポート本体の内側のレンズ鏡筒回転調節部固定磁石リングと、防水ポート本体の外側の遊嵌磁石ダイアルリングとが防水ポート壁のギャップを越えて磁気カップリングで一体化しており、外側遊嵌磁石ダイアルリングを回転操作すれば、内側レンズ鏡筒回転調節部固定磁石リングが同時に回転し、レンズの回転調節部が確実に動作するように構成されていることを特徴とする外周面操作リング付き防水レンズポート。
【請求項２】
一眼レフカメラ等のカメラ本体を内蔵する防水カメラケースの前面に取り付けられる外周面操作リング付き防水レンズポートであって、カメラ本体から前方に突出するレンズを内蔵する円筒形の防水ポート本体と、内蔵レンズに水中光学像を導入するポート前端の透明レンズ部と、ポート後端の防水カメラケース取付け部と、内蔵レンズ鏡筒のカメラ取り付け部近傍にある回転調節部に、弾性リング体の弾性変形で固着される内側のレンズ鏡筒回転調節部固定リングギアと、円筒形防水ポート本体の外側に回転自在に遊嵌状態にはめられた操作ダイアル付リングギアとを備え、防水ポート本体の内側レンズ鏡筒回転調節部固定リングギアと、防水ポート本体の外側の操作ダイアル付リングギアとの間に防水カメラケース貫通中間ギアを介して歯車リンク機構が働き、外側遊嵌操作ダイアル付リングギアを回転操作すれば、内側レンズ鏡筒固定リングギアが同時に回転し、レンズの回転調節部が確実に動作するように構成されていることを特徴とする外周面操作リング付き防水レンズポート。
【請求項３】
ポート取付け部をもつカメラ内蔵用防水ケース体前半部と、内蔵カメラファインダーと光学的につながる被写体確認用ピックアップファインダー部をもつカメラ内蔵用防水ケース体後半部と、内蔵カメラを外部から操作するためケース体前半部・後半部の外側に設置される操作キーと、外側操作キーと内蔵カメラの操作部位とを電磁気的、または、機械的に接続するリンク系を備えた防水カメラケースであって、ポート取付け部が、請求項１または２の外周面操作リング付き防水レンズポートの後端取付け部に対応しており、さらに、ケース体前半部のポート取付け部近傍には、請求項２の外周面操作リング付き防水レンズポートのギアとリンクするケース貫通中間ギアを備えている防水カメラケース。
【請求項４】
ケース体後半部に設置され、内蔵カメラのファインダーと光学的につながる被写体確認用ピックアップファインダー部が、ネジの回転で前後に進退可能な接眼凸レンズと固定対物凹レンズとで構成され、両レンズ間の距離調整により水中の撮影現場で的確な視度補正ができる視度補正機能を備えている請求項３の防水カメラケース。
【請求項５】
内蔵カメラが、３５ｍｍ判などの銀塩フィルム対応一眼レフカメラ、磁気記録部を併せもつ新型銀塩フィルム対応カメラ、ＣＣＤイメージキャプチャー部をもつディジタルカメラ、ビデオカメラのいずれかである請求項３または４の防水カメラケース。
【発明の詳細な説明】
【０００１】
【産業上の利用分野】
この発明は、外周面操作リング付き防水レンズポート、及び、それを装着・使用する防水カメラケースに関する。さらに詳しくは、この発明は、全体フォルム、重量バランス、レンズ系操作部位、カメラ操作部位や機器保持取扱い性等が一眼レフカメラとほぼ同じになるよう工夫された防水レンズポートとそれを装着した防水カメラケースに関わる。
【０００２】
【従来の技術とその課題】
従来、ダイバーらが、交換レンズ群を選択・装着した一眼レフカメラ等をレンズポート装着防水カメラケースに収納して水面下に持ち込み、水中撮影をする場合、そのレンズポートは、内部収納レンズよりもはるかに大きく、太く、側壁から突き出たレンズ操作ノブなどの凹凸もあり、その重量も重くなっている。そのため、防水カメラケースの全体フォルムや重量バランスが、一眼レフカメラのそれと大きく異なることとなり、さらに、レンズ系の操作部位も突出操作ノブであるため、レンズ鏡筒を支えつつ外周面操作リングを回す通常の一眼レフカメラの操作とは、全く異なる操作となっている。
【０００３】
図１に従来型の操作ノブ付き防水レンズポート（鏡筒の長いレンズ用）とそれを取り付けた防水カメラケースを示す。突出するレンズ操作ノブ（１）からのびる操作軸（２）は、防水シールされたポート壁穴（３）を貫通してポート内部のクラウンギア（４）につながっている。クラウンギア（４）は、内部収納レンズ（３０）の回転調節部（３５）に固定された平歯車ギア（６）に当接している。このような機構のため、従来型の防水レンズポート（１０）は、内部収納レンズよりもはるかに大きく、太く、側壁から突き出たレンズ操作ノブの凸部もあり、大きなフォルムになって取り回しが難しく、重量も重くなっている。
【０００４】
図２に従来型の操作ノブ付き防水レンズポート（鏡筒の短いレンズ用）とそれを取り付けた防水カメラケースを示す。鏡筒の短いレンズでは回転調節部（３５）がカメラ取付部近傍にあるので、突出するレンズ操作ノブ（１）、内部にクラウンギア（４）や回転調節部固定用の平歯車ギア（６）を収容するポート大径部（９）も防水カメラケース（２０）の近傍に位置している。
【０００５】
また、一部の防水カメラケースでは、さらに大きく膨出させたケース体前半部にレンズ操作ノブを設置して、ポート側の突出部分をなくした形状のものもある。
しかし、いずれの場合においても大きく、取り回しが難しく、重量も重くなっている。その上、防水カメラケースの全体フォルムや重量バランスが、通常の一眼レフカメラとは大きく異なり、また、レンズ系の操作部位も、突出操作ノブであり、レンズ鏡筒を支えつつ外周面操作リングを回す通常の一眼レフカメラのものとは、全く異なった操作となっている。
【０００６】
したがって、水中撮影のカメラ保持姿勢や、操作感覚は、普段の地上でのものと全く異なってしまう。しかも、水中では光量が不足しており、プランクトンなど浮遊物の影響もあって、一眼レフカメラのオートフォーカス機構が十分に機能しないので、レンズ系の手動フォーカス合わせが重要になってくる。また、水流変化などのため、撮影者のダイバーと、被写体の魚との位置関係も常に変化するので、レンズ系の手動ズーム調整も頻繁に行う必要があり、重要である。
【０００７】
このように、水中撮影は、撮影操作に多大の労力と手間と努力が必要とされ、熟練ダイバーが、熟知したカメラを防水カメラケースに収納して撮影しても、意図した写真は数十枚のうちに一枚撮れるかどうか、と言うほどに難しいものであった。
そこで、この発明はこれら従来の防水レンズポートの持つ欠点を解消し、全体フォルム、重量バランス、レンズ系操作部位、カメラ操作部位や機器保持取扱い性等が通常の一眼レフカメラとほぼ同じになるよう工夫された、新しい防水レンズポートを提供することを目的としている。
【０００８】
【課題を解決するための手段】
この発明は、上記の課題を解決するものとして、一眼レフカメラ等のカメラ本体を内蔵する防水カメラケースの前面に取り付けられる外周面操作リング付き防水レンズポートであって、カメラ本体から前方に突出するレンズを内蔵する円筒形の防水ポート本体と、内蔵レンズに水中光学像を導入するポート前端の透明レンズ部と、ポート後端の防水カメラケース取付け部と、内蔵レンズ鏡筒の中間位置にある回転調節部に、弾性リング体の弾性変形で固着されるレンズ鏡筒回転調節部固定磁石リングと、円筒形防水ポート本体の外側に回転自在に遊嵌状態ではめられ操作ダイアルリングと一体で形成されている遊嵌磁石ダイアルリングとを備え、防水ポート本体の内側のレンズ鏡筒回転調節部固定磁石リングと、防水ポート本体の外側の遊嵌磁石ダイアルリングとが防水ポート壁のギャップを越えて磁気カップリングで一体化しており、外側遊嵌磁石ダイアルリングを回転操作すれば、内側レンズ鏡筒回転調節部固定磁石リングが同時に回転し、レンズの回転調節部が確実に動作するように構成されていることを特徴とする外周面操作リング付き防水レンズポートを提供する。
【０００９】
そしてまたこの発明は、一眼レフカメラ等のカメラ本体を内蔵する防水カメラケースの前面に取り付けられる外周面操作リング付き防水レンズポートであって、カメラ本体から前方に突出するレンズを内蔵する円筒形の防水ポート本体と、内蔵レンズに水中光学像を導入するポート前端の透明レンズ部と、ポート後端の防水カメラケース取付け部と、内蔵レンズ鏡筒のカメラ取り付け部近傍にある回転調節部に、弾性リング体の弾性変形で固着される内側のレンズ鏡筒回転調節部固定リングギアと、円筒形防水ポート本体の外側に回転自在に遊嵌状態にはめられた操作ダイアル付リングギアとを備え、防水ポート本体の内側レンズ鏡筒回転調節部固定リングギアと、防水ポート本体の外側の操作ダイアル付リングギアとの間に防水カメラケース貫通中間ギアを介して歯車リンク機構が働き、外側遊嵌操作ダイアル付リングギアを回転操作すれば、内側レンズ鏡筒固定リングギアが同時に回転し、レンズの回転調節部が確実に動作するように構成されていることを特徴とする外周面操作リング付き防水レンズポートをも提供する。
【００１０】
【発明の実施の形態】
この発明は上記のとおり、鏡筒が長く鏡筒中間位置に回転調節部をもつマクロ系レンズ等の収納・操作のための防水レンズポートにおいて、磁気カップリング機構を採用しており、防水ポート外側の遊嵌磁石ダイアルリングを回転操作すれば、内側のレンズ鏡筒回転調節部に固定された磁石リングが同時に回転し、レンズの回転調節部が確実に動作するように構成されている。
【００１１】
一方、鏡筒が短かく鏡筒のカメラ取付部近傍に回転調節部をもつ標準・広角系レンズ等の収納・操作のための防水レンズポートでは、歯車リンク機構を採用しており、外側の遊嵌操作ダイアル付リングギアを回転操作すれば、防水カメラケース貫通中間ギアを介して、内側のレンズ鏡筒固定リングギアが同時に回転し、レンズの回転調節部が確実に動作するように構成されている。
【００１２】
この発明の外周面操作リング付き防水レンズポートと防水カメラケースは、全体フォルム、重量バランス、レンズ系操作部位、カメラ操作部位や機器保持取扱い性等が、通常の一眼レフカメラとほぼ同じなので、普段慣れ親しんでいる地上のカメラと同じ姿勢で撮影機材を保持して、同じ操作感覚で水中撮影ができるよう工夫されている。
【００１３】
ダイバーらは、交換レンズ群を選択・装着した一眼レフカメラ等を、この外周面操作リング付レンズポート装着の防水カメラケースに収納して水面下に持ち込み、水中撮影を行う。この発明の外周面操作リング付き防水レンズポート装着防水カメラケースは、全体フォルムや重量バランス、カメラ操作部位が一眼レフカメラとほぼ同じであり、また、交換レンズの操作部位も、レンズを収納する円筒形防水ポートの外周面操作リングとなり、一眼レフカメラの場合と同様であるので、これを使用すれば、普段慣れ親しんでいるのと同じ姿勢、同じ操作感覚で水中撮影ができる。すなわち、右手でカメラ部をグリップしつつカメラスイッチを操作し、左手でレンズ部、即ちポートを支えつつ外周面操作リングでレンズ操作を行うという、通常の一眼レフカメラと同じ操作で撮影ができ、撮影内容に意識を集中できる。
【００１４】
そしてこのように、操作性や機器保持取扱い性が優れているので、初心者でも構図設定、ピント合わせ、目標合わせなどが暗い水面下などでも的確にでき、単純な撮影ミスが軽減され、撮影内容の質的向上がはかれる。
また、全体フォルムが小さく、コンパクトで軽量なので取り回しも楽であり、防水構造やメカ部分も簡略化でき、信頼性の向上、コスト低減もできる。
【００１５】
以下、添付した図面に沿って実施例を示し、さらに詳しくこの発明の実施の形態について説明する。
【００１６】
【実施例】
図３に示すのは、請求項１の鏡筒の長いレンズの収納・操作に好適な、外周面操作リング付き防水レンズポートであって、カメラ本体から前方に突出するレンズを内蔵する円筒形の防水ポート本体（４１）と、内蔵レンズに水中光学像を導入するポート前端の透明レンズ（４２）と、ポート後端の防水カメラケース取付部（４３）と、内蔵レンズ鏡筒の中間位置にある回転調節部（３５）に、弾性リング体の弾性変形で固着される、レンズ鏡筒回転調節部固定磁石リング（４４）と、円筒形防水ポート本体の外側に回転自在に遊嵌状態ではめられ、操作ダイアルリングと一体で形成されている遊嵌磁石ダイアルリング（４５）とを必須の構成要素としており、防水ポート本体の内側のレンズ鏡筒回転調節部固定磁石リング（４４）と、防水ポート本体の外側の遊嵌磁石ダイアルリング（４５）は、それぞれ希土類系等の高磁力磁石を周方向に数個保持しているので、両者間は防水ポート壁のギャップを越えて磁気カップリングで一体化しており、外側遊嵌磁石ダイアルリング（４５）を回転操作すれば、内側レンズ鏡筒回転調節部固定磁石リング（４４）が同時に回転し、レンズの回転調節部（３５）がずれることなく完全に確実に追随して動作する。
【００１７】
防水ポート本体の外側の遊嵌磁石ダイアルリング（４５）は、海水中で摺動操作させる部材なので、アルミ合金やエンジニアリングプラスチック等の透磁性材料を精密成形して製造される。内部に埋め込まれる高磁力の希土類磁石は、非常に錆びやすいので、ゴムシーラント等で覆って海水に接触する事がないよう厳重に組み立て処理する。また、樹脂中にインサート成形で埋設して製造する場合は、磁石が表面に露出しないよう配置を注意する。
【００１８】
磁石ダイアルリング（４５）は、円筒形の防水ポート本体（４１）に対して、小径の先端側から段差部に当接する位置まではめられており、ストッパー（４６）で、脱落する先端方向にずれることのないよう止められている。図３に示すストッパー（４６）は、二分割されたリングを防水ポート表面の溝にはめて、弾性体で押圧固定してある。また、ストッパー（４６）は、Ｃ字型一体弾性リングで構成し、自身の弾性力で防水ポート表面の溝にはめて固定することも可能である。
【００１９】
ここで、内蔵されるレンズの鏡筒の回転調節部（３５）について説明しておく。
内蔵されるレンズが５０ミリ等の単焦点レンズなら、回転調節部（３５）は、手動焦点合わせの機能を担っている。内蔵されるレンズが３５−７０ミリ等の自動フォーカスズームレンズなら、回転調節部（３５）は、手動ズーム調節の機能を担っている。内蔵されるレンズが手動フォーカスズームレンズなら、一方の回転調節部（３５）は、手動焦点合わせの機能を担い、もう一つの回転調節部（３６）は、手動ズーム調節の機能を担うことになる。
【００２０】
上記のようにもう一つ回転調節部がある場合に備えて、もう一つの磁石ダイアルリングを嵌入する箇所（４７）も用意されており、同様の磁気カップリング機構で外周面操作リングによる操作が可能となるよう工夫されている。
或いは、後述のように、もう一つの回転調節部を、請求項２に係わるような歯車リンク機構で、レンズポート外周面操作リングにつなげてもよい。
【００２１】
外周面操作リング付き防水レンズポート（４０）の、防水カメラケース（２０）への取付は、円筒形ポート本体（４１）につながる栽頭円錐型外周面をもつ防水カメラケース取付部（４３）を、カメラケース体前半部（２２）の内側からネジを螺入して固定すればよい。
また、共通する防水カメラケース取付部（４３）をもつ、一連の外周面操作リング付き防水レンズポート相互の付け替えであれば、取付部（４３）を防水カメラケース（２０）に固定したまま、ポート本体（４１）と取付部（４３）との間のねじ込み部分、ないし、バヨネットはめ込み部分を解除して、内部収納レンズの交換と同時に同様の操作で外周面操作リング付き防水レンズポートの交換ができる。このようなフレキシビリティを実現するため、防水カメラケース取付部（４３）は防水ポート本体（４１）の接続面にも、カメラケース体前半部（２２）の接続面にも、防水Ｏリングをはさんでいる。
【００２２】
図４に、この外周面操作リング付レンズポート装着の防水カメラケースを使用した、水中でのカメラ撮影の様子を示す。このように、この発明の防水カメラケースを使用すれば、防水撮影機材の全体フォルムや重量バランス、カメラ操作部位が一眼レフカメラとほぼ同じであり、レンズ系の操作部位も、レンズを収納する円筒形防水ポートの外周面操作リングになるので、一眼レフカメラの場合と同じである。
【００２３】
このため、普段慣れ親しんでいるのと同じ姿勢、同じ操作感覚で水中撮影ができる。右手でカメラ部をグリップしつつカメラスイッチを操作し、左手でレンズ部、即ちポートを支えつつ外周面操作リングでレンズ操作を行うことにより、地上での一眼レフカメラと同じ操作で撮影ができ、撮影内容に集中できる。
図５に示すのは、請求項２の鏡筒の短いレンズの収納・操作に好適な、外周面操作リング付き防水レンズポートであって、カメラ本体から前方に突出するレンズを内蔵する円筒形の防水ポート本体（５１）と、内蔵レンズに水中光学像を導入するポート前端の透明レンズ（５２）と、ポート後端の防水カメラケース取付部（５３）と、内蔵レンズ（３０）の鏡筒のカメラ取付部近傍にある回転調節部（３５）に、弾性リング体の弾性変形で固着される内側のレンズ鏡筒回転調節部固定リングギア（５４）と、円筒形防水ポート本体（５１）の外側に回転自在に遊嵌状態にはめられた操作ダイアル付リングギア（５５）とを必須構成要素とし、防水ポート本体の内側レンズ鏡筒回転調節部固定リングギア（５４）と、防水ポート本体の外側の操作ダイアル付リングギア（５５）との間に、防水カメラケース貫通中間ギア（５７）を介して歯車リンク機構が働き、外側遊嵌操作ダイアル付リングギア（５５）を回転操作すれば、内側レンズ鏡筒固定リングギア（５４）が同時に回転し、レンズの回転調節部（３５）が確実に動作するように構成されている。
【００２４】
図３における例では、組立作業上の便宜等から、防水ポート本体（５１）に、円筒形外周面を持つ防水カメラケース取付部（５３）をかぶせるように接続して、その外側に操作ダイアル付リングギア（５５）を回転自在に遊嵌状態にはめる構成となっているが、上述のように防水ポート（５１）の外側に、直接、操作ダイアル付リングギア（５５）を遊嵌状態にはめた構成とすることもできる。
【００２５】
操作ダイアル付リングギア（５５）は、ストッパー（５６）により、脱落しないようポート先端側への移動が規制されている。ストッパー（５６）は、Ｃ字型一体弾性リング等で構成されており、防水ポート本体（５１）ないし防水カメラケース取付部（５３）の表面の溝にはめ込み固定されているので、適宜、ギア部も分解清掃することができる。
【００２６】
防水カメラケース貫通中間ギア（５７）は、コンパクトにまとめるため複数の小さなギア系で構成することもできる。また、中間ギア（５７）の防水カメラケース外側、操作ダイアル付リングギア（５５）のギア部分に保護カバー（５８）を付設しておけば、操作ダイアル付リングギア（５５）の操作がよりスムーズである。
【００２７】
外周面操作リング付き防水レンズポート（５０）の防水カメラケース（２０）への取付は、円筒形ポート本体（５１）につながる円筒外周面をもつ防水カメラケース取付部（５３）を、カメラケース体前半部（２２）の内側からネジを螺入して固定すればよい。
また、共通する防水カメラケース取付部（５３）をもつ一連の外周面操作リング付き防水レンズポート相互の付け替えであれば、取付部（５３）を防水カメラケース（２０）に固定したまま、ポート本体（５１）と取付部（５３）との間のねじ込み部分ないし、バヨネットはめ込み部分を解除して、内部収納レンズの交換と同時に、同様の操作で、外周面操作リング付き防水レンズポートの交換ができる。
【００２８】
請求項１に係わる磁気カップリング機構をもつ外周面操作リング付き防水レンズポートも、ねじ込み部分ないしバヨネットはめ込み部分が共通になるように構成しておけば、同様に、内部収納レンズの交換と同時に、同様の操作で交換ができる。その場合、内側レンズ鏡筒回転調節部固定リングギア（５４）さえ外してあれば、防水カメラケース貫通中間ギア（５７）等のギア系は、付設されたままでも差し支えない。
【００２９】
このようなフレキシビリティを実現するため、防水カメラケース取付部（５３）は防水ポート本体（５１）の接続面にも、カメラケース体前半部（２２）の接続面にも、防水Ｏリングをはさんでいる。
つぎに、この発明の外周面操作リング付き防水レンズポートと組み合わせ使用される防水カメラケースにおいても、ケース貫通中間ギア（５７）等のギア系を備える等、種々の特徴が備わっている。
【００３０】
この防水カメラケースでは、内蔵カメラのファインダーと光学的につながり、覗いて被写体の確認ができるピックアップファインダー部が、ネジの回転で前後に進退可能な接眼凸レンズと固定対物凹レンズとで構成され、両レンズ間の距離調整により、水中の撮影現場で的確な視度補正ができる視度補正機能を備えており、さらに操作性を向上させることができる。
【００３１】
水中視度補正機能付きピックアップレンズ系を加えた防水カメラケースの機器を使用すれば、ダイバーらは、水面下での水中撮影の際、接眼凸レンズ部の円形ダイアル（２９１）を回転させて、防水用Ｏリング（２９２）とネジ溝のかみ合わせにより、防水性能を維持しつつ接眼凸レンズ筒体（２９４）を前後に進退させ、対物凹レンズ（２９６）との距離の調整を行って、水中での撮影に最も合致した視度補正を簡単に行うことができる。しかも、ファインダー倍率の低下が抑えられ、アイポイントが延長されているため、ファインダー内の像を十分な大きさでとらえて被写体を確認し、ファインダー内コーナー部などに表示される撮影情報をも確実に視認できる。また、この明るく大きなファインダー内の像を観察しながら、ピックアップレンズ系の視度補正、カメラピント合わせが確実に高精度で行える。
【００３２】
また、内蔵カメラとしては、その一例として一眼レフカメラを例にとりながら説明を進めてきたが、３５ｍｍ判などの銀塩フィルム対応一眼レフカメラに限らず、磁気記録部を併せもつ新型銀塩フィルム対応カメラ、ＣＣＤイメージキャプチャー部をもつディジタルカメラ、ビデオカメラなど、交換レンズ群を駆使するカメラであればいずれも、この発明の外周面操作リング付き防水レンズポートが活用できる。
【００３３】
以上詳しく説明したように、この発明の外周面操作リング付き防水レンズポートを装備した防水カメラケースを用いたカメラ機器を使用すれば、ダイバーらは、交換レンズ群を選択・装着した一眼レフカメラ等を、この外周面操作リング付レンズポート装着の防水カメラケースに収納して水面下に持ち込み、水中撮影を行うことができる。この発明の外周面操作リング付き防水レンズポート装着防水カメラケースは、全体フォルムや重量バランス、カメラ操作部位が通常の一眼レフカメラとほぼ同じであり、また、交換レンズの操作部位も、レンズを収納する円筒形防水ポートの外周面操作リングになるので、一眼レフカメラの場合と同じである。このため、これを使用すれば、普段慣れ親しんでいるのと同じ姿勢、同じ操作感覚で水中撮影ができる。右手でカメラ部をグリップしつつカメラスイッチを操作し、左手でレンズ部、即ちポートを支えつつ外周面操作リングでレンズ操作を行うことにより、通常の一眼レフカメラと同じ操作で撮影ができ、撮影内容に意識を集中できる。
【００３４】
また、これに水中視度補正機能付きピックアップレンズ系を加えた防水カメラケースの機器を使用すれば、ダイバーらは、水面下での水中撮影の際、接眼凸レンズ部の円形ダイアルを回転させて  防水用Ｏリングとネジ溝のかみ合わせにより、防水性能を維持しつつ接眼凸レンズ筒体を前後に進退させ、対物凹レンズとの距離の調整を行って、水中での撮影に最も合致した視度補正を簡単に行うことができる。しかも、ファインダー倍率の低下が抑えられ、アイポイントが延長されているため、ファインダー内の像を十分な大きさでとらえて被写体を確認し、ファインダー内コーナー部などに表示される撮影情報をも確実に視認できる。また、この明るく大きなファインダー内の像を観察しながらピックアップレンズ系の視度補正、カメラピント合わせが確実に高精度で行える。
【００３５】
【発明の効果】
この発明により、ダイバーらが防水カメラケースを用いて水中撮影を行う際の、全体フォルムや重量バランス、カメラ操作部位が一眼レフカメラとほぼ同じとなる。さらに、交換レンズの操作部位も、レンズを収納する円筒形防水ポートの外周面操作リングになるので、一眼レフカメラの場合と同じとなり、地上と同じ姿勢、同じ操作感覚で水中撮影ができ、撮影内容に意識を集中できる。
【００３６】
また、この発明の防水カメラケース用視度補正機能付ピックアップファインダーにより、水中マスクを装着したダイバーの、被写体確認、コーナー部の撮影情報の確実な視認、水中の撮影現場での的確な視度補正等が可能となる。
【図面の簡単な説明】
【図１】従来型の操作ノブ付防水レンズポート（鏡筒の長いレンズ用）とそれを取り付けた防水カメラケースを示した縦断面図である。
【図２】従来型の操作ノブ付防水レンズポート（鏡筒の短いレンズ用）とそれを取り付けた防水カメラケースを示した斜視図である。
【図３】この発明の外周面操作リング付防水レンズポート（鏡筒の長いレンズ用）とそれを取り付けた防水カメラケースを示した縦断面図である。
【図４】この発明の外周面操作リング付防水レンズポート装着の防水カメラケースを使用した水中でのカメラ撮影の様子を示した概略図である。
【図５】この発明の外周面操作リング付防水レンズポート（鏡筒の短いレンズ用）とそれを取り付けた防水カメラケースを示した側断面図である。
【図６】図５の縦断面図である。
【図７】（ａ）、（ｂ）はこの発明の視度補正機能付ピックアップファインダーの拡大図を示したものである。
【図１】
0003714742.tif 000002
【図２】
0003714742.tif 000003
【図３】
0003714742.tif 000004
【図４】
0003714742.tif 000005
【図５】
0003714742.tif 000006
【図６】
0003714742.tif 000007
【図７】
0003714742.tif 000008